(57)【特許請求の範囲】
【請求項１】
液晶パネルと、液晶駆動用チップが実装された液晶駆動回路基板と、制御回路基板に対する中継用のフレキシブル基板とを含み、上記液晶パネルの端子部に、上記液晶駆動回路基板の一端側の第１電極リード部を接続し、上記液晶駆動回路基板の他端側の第２電極リード部に、上記フレキシブル基板の一端側の接続リード部を重ねて接続してなる液晶表示素子において、
上記フレキシブル基板の一端側から、上記接続リード部よりも上記液晶パネルの端子部側に延びる支持片が上記フレキシブル基板とほぼ同幅として一体的に引き出されているとともに、上記支持片の上記接続リード部よりも先端側の部分に、上記液晶駆動回路基板の第２電極リード部側を挿入し得るスリットが形成されており、上記第２電極リード部側が上記スリットを通して上記フレキシブル基板の上記接続リード部に接続された状態で、上記支持片を上記第２電極リード部と上記接続リード部の重ね合わせ面に対して反対側に位置する上記端子部の一方の面に当接させることを特徴とする液晶表示素子。
【請求項２】
上記支持片の端部を上記端子部に固定してなる請求項１に記載の液晶表示素子。
【発明の詳細な説明】
【０００１】
【発明の属する技術分野】
本発明は、液晶パネルに液晶駆動回路基板やフレキシブル基板を取り付けた液晶表示素子（液晶モジュール）に関し、さらに詳しく言えば、フレキシブル基板の取り付け構造に関するものである。
【０００２】
【従来の技術】
液晶パネルを表示装置として製品化するにあたって、液晶パネルにはいくつかの駆動回路や制御回路それに接続基板などが取り付けられる。その一般的な例を図６の斜視図および図７の側面図により説明する。
【０００３】
液晶パネル１０は、透明電極に連なる引出リードが形成された端子部１１を備えており、まず、この端子部１１に液晶駆動回路基板としてのＴＣＰ（ｔａｐｅ  ｃａｒｒｉｅｒ  ｐａｃｋａｇｅ）基板２０が接続される。
【０００４】
ＴＣＰ基板２０は、配線パターンが形成されたフレキシブル基板に液晶駆動用のＩＣ（もしくはＬＳＩ）チップ２１を実装したもので、そのＩＣチップ搭載部の両側（基板の両端側）には、信号出力用と信号入力用の電極リード部が設けられている。
【０００５】
その内の信号出力側の第１電極リード部２２が、液晶パネル１０の端子部１１に対して例えば異方性導電フィルムやヒートシールなどを介して接続される。他方の信号入力側の第２電極リード部２３には、フレキシブル基板３０が接続される。フレキシブル基板３０は、ＴＣＰ基板２０を図示しない制御回路基板に接続する中継基板として用いられている。
【０００６】
多くの場合、制御回路基板は液晶パネル１０の裏面側に配置されるため、フレキシブル基板３０は１８０゜程度に大きく曲げられる。したがって、第２電極リード部２３とフレキシブル基板３０との接続は、比較的高い機械的接続強度が得られるハンダ付けによる。
【０００７】
そのため、第２電極リード部２３には、ＴＣＰ基板２０のベースフィルムと絶縁レジストとを除去して電極リードを露出させたスリット状の開口が形成されており、その露出電極リードに、フレキシブル基板３０の一端側に形成されている接続リード部３１がハンダ付けされる。なお図示しないが、フレキシブル基板３０の他端側には制御回路基板に接続するためのコネクタが設けられている。
【０００８】
フレキシブル基板３０の曲げ応力は、液晶パネル１０の端子部１１とＴＣＰ基板２０との接続部にもかかる。この接続部は異方性導電フィルムやヒートシールによるため、機械的接続強度がハンダ付けに比べて弱い。
【０００９】
したがって、液晶パネル１０の端子部１１とＴＣＰ基板２０との接続部を補強する必要がある。そのため、従来では図７に示すように、端子部１１とＴＣＰ基板２０との間に補強テープＴを貼るようにしている。しかしながら、これによると、その分余計に作業コストおよび部品コストがかかることになので好ましくない。
【００１０】
【発明が解決しようとする課題】
したがって、本発明の課題は、液晶パネルの端子部に液晶駆動回路基板（例えばＴＣＰ基板）を取り付け、その液晶駆動回路基板をフレキシブル基板を介して制御回路基板に接続する液晶表示素子において、補強テープなどの部品を用いることなく、液晶パネルの端子部と液晶駆動回路基板との接続部を補強できるようにすることにある。
【００１１】
【課題を解決するための手段】
上記課題を解決するため、本発明は、液晶パネルと、液晶駆動用チップが実装された液晶駆動回路基板と、制御回路基板に対する中継用のフレキシブル基板とを含み、上記液晶パネルの端子部に、上記液晶駆動回路基板の一端側の第１電極リード部を接続し、上記液晶駆動回路基板の他端側の第２電極リード部に、上記フレキシブル基板の一端側の接続リード部を重ねて接続してなる液晶表示素子において、上記フレキシブル基板の一端側から、上記接続リード部よりも上記液晶パネルの端子部側に延びる支持片が上記フレキシブル基板とほぼ同幅として一体的に引き出されているとともに、上記支持片の上記接続リード部よりも先端側の部分に、上記液晶駆動回路基板の第２電極リード部側を挿入し得るスリットが形成されており、上記第２電極リード部側が上記スリットを通して上記フレキシブル基板の上記接続リード部に接続された状態で、上記支持片を上記第２電極リード部と上記接続リード部の重ね合わせ面に対して反対側に位置する上記端子部の一方の面に当接させることを特徴としている。
【００１２】
これによれば、フレキシブル基板の曲げ応力が、フレキシブル基板に連設した支持片を介して液晶パネルの端子部にて支えられるため、補強テープを用いることなく、液晶パネルの端子部と液晶駆動回路基板との接続部を補強することができる。なお、支持片の端部を液晶パネルの端子部に接着剤などで固定することがより好ましい。
【００１３】
【発明の実施の形態】
まず、図１に液晶表示素子の要部斜視図、図２にその側面図、図３にフレキシブル基板の要部斜視図をそれぞれ示し、これにより本発明の参考実施形態について説明する。
【００１４】
この参考実施形態において、端子部１１を含む液晶パネル１０の構成、液晶駆動回路基板としてのＴＣＰ基板２０の構成、液晶パネル１０の端子部１１とＴＣＰ基板２０の第１電極リード部２２との接続方法（異方性導電フィルムもしくはヒートシール）およびＴＣＰ基板２０の第２電極リード部２３とフレキシブル基板３０の一端側にある接続リード部３１との接続方法（ハンダ付け）については、先の図６，図７で説明した上記従来例と同じであってよいため、その説明は省略する。
【００１５】
本発明においては、フレキシブル基板３０に上記従来例の補強テープＴに相当する機能を持たせる。そのため、この参考実施形態では、図３に示すように、フレキシブル基板３０の一端側の両側から、接続リード部３１よりも液晶パネル１０の端子部１１側に延びる支持片３２，３２を左右一対として引き出している。
【００１６】
なお、フレキシブル基板３０は、ベースフィルムの片面側のリード配線形成面を絶縁レジストで被覆してなるが、接続リード部３１の部分は、絶縁レジストが除去され、リード配線の一部分が露出されている。
【００１７】
ＴＣＰ基板２０とフレキシブル基板３０は、第２電極リード部２３と接続リード部３１とをハンダ付けすることにより接続されるのであるが、その取り付け方はフレキシブル基板３０を折り曲げる方向による。
【００１８】
すなわち、図１，図２のように、フレキシブル基板３０を下方に向けて折り曲げるときには、図３に鎖線で示すように、接続リード部３１をフレキシブル基板３０の下面側とし、ＴＣＰ基板２０の第２電極リード部２３に対して接続リード部３１を上から重ねてハンダ付けする。
【００１９】
次に、支持片３２，３２を液晶パネル１０の端子部１１に当接させるのであるが、その場合、支持片３２，３２を第２電極リード部２３と接続リード部３１の重ね合わせ面とは反対側に撓ませて端子部１１の裏面側（反引き出しリード形成面側）に潜り込ませる。そして、好ましくは支持片３２を接着剤もしくは両面接着（粘着）テープなどにて端子部１１に固定する。
【００２０】
これとは反対に、フレキシブル基板３０を上方に向けて折り曲げるときには、接続リード部３１をフレキシブル基板３０の上面側とし、ＴＣＰ基板２０の第２電極リード部２３に対して接続リード部３１を下から重ねてハンダ付けする。
【００２１】
そして、支持片３２，３２を第２電極リード部２３と接続リード部３１の重ね合わせ面とは反対側に撓ませて端子部１１の上面側（引き出しリード形成面側）に当接させる。これによれば、フレキシブル基板３０の曲げ応力が支持片３２，３２を介して端子部１１にて支えられるため、補強テープなどの部品を用いることなく、端子部１１とＴＣＰ基板２０との接続部を補強することができる。
【００２２】
次に、図４および図５により、本発明の実施形態について説明する。この実施形態においては、フレキシブル基板３０の一端側をそのままの幅で液晶パネル１０の端子部１１側に引き出して支持片３３とし、接続リード部３１よりも先端側（端子部１１側）の部分にＴＣＰ基板２０の第２電極リード部２３側を挿入し得るスリット３４を形成する。
【００２３】
図４のように、フレキシブル基板３０を下方に向けて折り曲げるときには、図５に鎖線で示すように、接続リード部３１をフレキシブル基板３０の下面側とした状態で、ＴＣＰ基板２０の第２電極リード部２３側を支持片３４の上面側からスリット３４内に挿通して第２電極リード部２３と接続リード部３１とを重ねてハンダ付けする。そして、支持片３３を端子部１１の裏面側に潜り込ませる。
【００２４】
これとは反対に、フレキシブル基板３０を上方に向けて折り曲げるときには、接続リード部３１をフレキシブル基板３０の上面側とし、ＴＣＰ基板２０の第２電極リード部２３側を支持片３４の下面側からスリット３４内に挿通して第２電極リード部２３と接続リード部３１とを重ねてハンダ付けする。
【００２５】
そして、支持片３３を端子部１１の上面側に当接させる。この場合、支持片３３がＩＣチップ２１上を覆うことになるが、これを嫌う場合には、ＩＣチップ２１用のスリットを別に設ければよい。この実施形態においても、好ましくは支持片３３を接着剤もしくは両面接着（粘着）テープなどにて端子部１１に固定する。
【００２６】
なお、上記実施形態では、液晶駆動回路基板としてＴＣＰ基板を採用しているが、その基板は硬質基板であってもよい。
【００２７】
【発明の効果】
以上説明したように、本発明によれば、液晶パネルの端子部にＴＣＰ基板などの液晶駆動回路基板の一端側を接続し、その液晶駆動回路基板の他端側にフレキシブル基板を接続するにあたって、フレキシブル基板の一端側に、液晶駆動回路基板に対する接続リード部よりも液晶パネルの端子部側に延びる支持片を一体的に設け、その支持片を液晶駆動回路基板の電極リード部と接続リード部の重ね合わせ面に対して反対側に位置する端子部の一方の面に当接させたことにより、補強テープなどの部品を用いることなく、液晶パネルの端子部と液晶駆動回路基板との接続部を補強することができる。
【図面の簡単な説明】
【図１】本発明の参考実施形態に係る液晶表示素子を示す要部斜視図。
【図２】図１の側面図。
【図３】上記参考実施形態におけるフレキシブル基板を示す要部斜視図。
【図４】本発明の実施形態に係る液晶表示素子を示す要部斜視図。
【図５】上記実施形態におけるフレキシブル基板を示す要部斜視図。
【図６】従来例としての液晶表示素子を示す要部斜視図。
【図７】図６の側面図。
【符号の説明】
１０  液晶パネル
１１  端子部
２０  ＴＣＰ基板（液晶駆動回路基板）
２１  ＩＣチップ
２２  第１電極リード部
２３  第２電極リード部
３０  フレキシブル基板
３１  接続リード部
３２，３３  支持片
３４  スリット
【図１】
0004111430.tif 000002
【図２】
0004111430.tif 000003
【図３】
0004111430.tif 000004
【図４】
0004111430.tif 000005
【図５】
0004111430.tif 000006
【図６】
0004111430.tif 000007
【図７】
0004111430.tif 000008